(57)【要約】      （修正有）【課題】フレキシブルディスプレイが回転する状態で内側と外側間の長さ変化が発生しないながらも映像を具現することができるフォルダブルディスプレイを提供する。【解決手段】本発明によるフォルダブルディスプレイ１００は、下部プレートのフォルディング領域ＦＲはすにそれぞれＬＥＤアレイを備えてフォルディング領域とアンフォルディング領域の両方で映像を具現することができ、さらにフォルディング領域で内側と外側間の長さ変化が発生しなく、下部プレートを中心に表示パネル１１０とプリント基板が容易に接続するように下部プレート上に第１接続ホール及び第２接続ホールを備え、ヒンジ部がヒンジボディー１３１，１３５と単位ヒンジ１３２，１３３から構成されて設定角度の範囲で安定的な回転が可能であり、これによって信頼性を確保することができるフォルダブルディスプレイを提供する。【選択図】図５ｃ
2020021073.tif 000002
【特許請求の範囲】
【請求項１】
一方向に長く形成された複数のＬＥＤアレイからなった表示パネルと、
少なくとも一つのフォルディング領域、及び前記フォルディング領域の両側に連結されるアンフォルディング領域を含み、前記フォルディング領域及びアンフォルディング領域の上面に前記表示パネルが結合される下部プレートと、
前記下部プレートの背面に結合され、前記表示パネルの駆動を制御するプリント基板と、
前記フォルディング領域の下部に結合されて前記フォルディング領域の折り畳みと展開を与えるヒンジ部と、
を含む、フォルダブルディスプレイ。
【請求項２】
前記下部プレートは、
前記フォルディング領域に複数備えられ、一つの前記ＬＥＤアレイが各上面に結合され、背面に前記ヒンジ部が結合されるセグメントケースと、
複数の前記セグメントケースの両側で複数の前記ＬＥＤアレイが上面に結合される平面ケースとを含む、請求項１に記載のフォルダブルディスプレイ。
【請求項３】
前記セグメントケースは、
前記ＬＥＤアレイの背面に備えられた第１コネクターと前記プリント基板に結合されたＦＰＣに備えられた第２コネクターが互いに接続するように貫通された第１接続ホールを含む、請求項２に記載のフォルダブルディスプレイ。
【請求項４】
前記平面ケースは、
前記アンフォルディング領域に配置された前記ＬＥＤアレイと、前記プリント基板が接触するように貫通された第２接続ホールとを含む、請求項２に記載のフォルダブルディスプレイ。
【請求項５】
前記ヒンジ部は、
各前記セグメントケースの背面に結合されるヒンジボディーと、
前記ヒンジボディーの一つである第１ヒンジボディーの背面に設定間隔で結合される複数の第１単位ヒンジと、
前記第１ヒンジボディーに隣接する第２ヒンジボディーの背面で前記第１単位ヒンジと交互に結合される第２単位ヒンジとを含む、請求項３に記載のフォルダブルディスプレイ。
【請求項６】
前記第１ヒンジボディー及び前記第２ヒンジボディーの各々は、
背面に設定間隔で突設される結合部材と、
前記結合部材の両側面に内側に凹むように形成された干渉溝とを含む、請求項５に記載のフォルダブルディスプレイ。
【請求項７】
前記第１単位ヒンジは、
前記第１ヒンジボディーの背面の結合部材の間に固定される第１胴体と、
前記第１胴体を中心に両側に突出し、内部に回転軸が結合されるように第１回転軸ホールが形成される第１締結部材と、
前記第１締結部材から突出し、前記第２ヒンジボディーの干渉溝の内部で設定角度の範囲を外れないように、前記第１単位ヒンジの回転を制限する第１案内突起とを含む、請求項６に記載のフォルダブルディスプレイ。
【請求項８】
前記第２単位ヒンジは、
前記第２ヒンジボディーの背面の結合部材の間に固定される第２胴体と、
前記第２胴体を中心に両側に突出し、内部に前記回転軸が結合されて前記第１締結部材と結合される第２締結部材と、
前記第２締結部材から突出し、前記第１ヒンジボディーの干渉溝の内部で設定角度の範囲を外れないように、前記第２単位ヒンジの回転を制限する第２案内突起とを含む、請求項７に記載のフォルダブルディスプレイ。
【請求項９】
前記第１ヒンジボディー及び前記第２ヒンジボディーの各々は、
前記セグメントケースの背面とヒンジボディーの上面の間にＦＰＣ又は第２コネクターが配置されるように加工された案内溝を含む、請求項５に記載のフォルダブルディスプレイ。
【請求項１０】
前記下部プレートは、
少なくとも二つ以上の複数の前記アンフォルディング領域が設定パターンで構成される、請求項１に記載のフォルダブルディスプレイ。
【請求項１１】
前記下部プレートは、折り畳み過程で前記表示パネルが外部に露出されるアウターフォルディングタイプで折り畳まれる、請求項１に記載のフォルダブルディスプレイ。
【請求項１２】
前記平面ケースの背面をカバーする第１ハウジングと、
前記セグメントケースの背面に配置され、前記ヒンジ部の回転状態によって外形が変形される第２ハウジングとをさらに含む、請求項２に記載のフォルダブルディスプレイ。
【発明の詳細な説明】
【技術分野】
【０００１】
本発明は表示パネルを折り畳むか広げて使うことができるフォルダブルディスプレイに関する。
【背景技術】
【０００２】
近年、移動通信端末機（ｗｉｒｅｌｅｓｓ  ｔｅｒｍｉｎａｌ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）などの携帯端末機は携帯性のために大きさが小型化している趨勢である。
【０００３】
しかし、使用者は携帯端末機の画面を介して文字情報、動画、静止画像、ＭＰ３、ゲームなどの各種のソースから情報を受けることを望んでいるから、より大きいサイズのディスプレイ画面が好まれている。
【０００４】
最近、多様なアプリケーションを駆動することができ、携帯が容易であり、携帯時より大きな画面で映像表示が可能なフレキシブルディスプレイ（Ｆｌｅｘｉｂｌｅ  Ｄｉｓｐｌａｙ）の要求が増大している。フレキシブルディスプレイは、携帯や保管の際に一部を半分に折り畳むことができ、映像を表示する場合に広げて使うことができるので、映像表示領域を増やし、さらに使用者の視感を向上させることができる利点がある。
【０００５】
しかし、既知のフレキシブルディスプレイは折り畳むか広げる過程で、フレキシブルディスプレイの構造が、フレキシブルディスプレイの内側と外側の長さの変化を補償しなければならないという問題点がある。長さ補償構造は、折り畳みヒンジの外側が内側に比べて相対的に大きく回転するため、既存の同じ長さを有する構造物に長さ変化が発生し、これを償うためには別途の構造物を設置するかディスプレイの総厚が大きくなる問題点が発生する。
【発明の概要】
【０００６】
本発明はフォルダブルディスプレイに関するもので、表示パネルが折り畳まれるフォルディング領域に個別的にＬＥＤアレイ又はＯＬＥＤ素子のような光源が備えられ、フレキシブルディスプレイが回転するあいだに内側と外側の長さの変化をなくし、映像を具現することができるフォルダブルディスプレイを提供する。
【０００７】
本発明は、下部プレートのフォルディング領域にそれぞれＬＥＤアレイ又はＯＬＥＤ素子のような光源を備えてフォルディング領域及びアンフォルディング領域の両方で映像を具現することができ、フォルディング領域で内側と外側の長さの変化をなくすフォルダブルディスプレイを提供する。
【０００８】
そして、本発明は、下部プレートを中心に表示パネルとプリント基板が容易に接続するように下部プレート上に第１接続ホールと第２接続ホールを備えたフォルダブルディスプレイを提供する。
【０００９】
また、本発明は、ヒンジ部がヒンジボディーと単位ヒンジから構成されて設定角度の範囲で安定的な回転が可能であり、これによって信頼性を確保することができるフォルダブルディスプレイを提供する。
【００１０】
本発明によるフォルダブルディスプレイによれば、
フォルディング領域とアンフォルディング領域の両方で映像を具現することができ、
フォルディング領域の回転による内側と外側間の長さ変化が発生しないので、長さ補償に必要な追加的な構成要素が不要であり、
フォルディング領域とアンフォルディング領域の表示パネルの駆動による端子接続が容易であり、
ヒンジ部が設定角度の範囲内で相対回転するので、安定的な回転とともに信頼性を確保することができ、
表示パネルを多様なサイズに製作することができるので、製造費用が節減される、などの効果がある。
【図面の簡単な説明】
【００１１】
【図１】本発明の一実施例によるフォルダブルディスプレイを示す斜視図である。
【図２】図１に示したフォルダブルディスプレイを分解した状態を示す分解斜視図である。
【図３】図２に示したフォルダブルディスプレイの表示パネルと下部プレートの背面を示す背面斜視図である。
【図４】図２に示したフォルダブルディスプレイのプリント基板連結部分を拡大して示す部分拡大図である。
【図５ａ】図１に示したフォルダブルディスプレイの一部を拡大して示す部分拡大斜視図である。
【図５ｂ】図５ａに示したフォルダブルディスプレイが折り畳まれた状態を示す部分拡大斜視図である。
【図５ｃ】図５ａに示したフォルダブルディスプレイの広げられた状態での一断面を示す部分断面斜視図である。
【図５ｄ】図５ｂに示したフォルダブルディスプレイの折り畳まれた状態での一断面を示す部分断面斜視図である。
【図６ａ】図５ａに示したフォルダブルディスプレイのヒンジ部が広げられた状態を示す斜視図である。
【図６ｂ】図５ｂに示したフォルダブルディスプレイのヒンジ部が折り畳まれた状態を示す斜視図である。
【図７】図６ａに示したフォルダブルディスプレイの第１単位ヒンジと第２単位ヒンジを分離して示す斜視図である。
【図８】図６に示したフォルダブルディスプレイのヒンジ部を分解して示す分解斜視図である。
【図９】図８に示したフォルダブルディスプレイの分解したヒンジ部を部分的に拡大して示す部分拡大図である。
【図１０】図８に示したフォルダブルディスプレイのヒンジ部の一部を分解して示す分解斜視図である。
【図１１】図５に示したフォルダブルディスプレイのヒンジ部が広げられた状態を示す断面図である。
【図１２】図５に示したフォルダブルディスプレイのヒンジ部が折り畳まれた状態を示す断面図である。
【図１３】図１に示したフォルダブルディスプレイの表示パネルと下部プレートが互いに異なる大きさに分離されたパターンを示す参照図である。
【発明を実施するための形態】
【００１２】
以下、本発明の好適な実施例を添付図面に基づいて当該分野の通常の知識を有する者が容易に実施することができるように説明する。添付図面において、構成に表記された図面符号は他の図でも同じ構成を表記するとき、できるだけ同じ図面符号を使っていることに留意しなければならない。また、本発明の説明において、関連した公知の機能又は公知の構成についての具体的な説明が本発明の要旨を不必要にあいまいにしうると判断される場合には、その詳細な説明を省略する。そして、図面に示した任意の特徴は説明の容易性のために拡大又は縮小又は単純化したものであり、図面及びその構成要素が必ずしも適切な比率で示されてはいない。しかし、当業者であればこのような詳細事項を容易に理解できるであろう。
【００１３】
図１は本発明の一実施例によるフォルダブルディスプレイを示す斜視図、図２は図１に示したフォルダブルディスプレイを分解した状態を示す分解斜視図である。
図１及び図２を参照すると、本発明の一実施例によるフォルダブルディスプレイ１００は、表示パネル１１０と、下部プレート１２０と、プリント基板１６０及びヒンジ部１３０を含む。
【００１４】
フォルダブルディスプレイ１００は、画像を表示する表示パネル１１０及び下部プレート１２０の少なくとも一部分が設定角度に回転されるか折り畳まれることができ、ヒンジ部１３０を介してフォルダブルディスプレイがこのように折り畳まれた状態を維持することができる。
【００１５】
表示パネル１１０は、上面の各縁辺部に非表示領域ＮＡが備えられ、非表示領域ＮＡの内側に画像が表示される表示領域ＡＡが備えられることができる。そして、非表示領域ＮＡは表示領域ＡＡの周辺を取り囲むように配置できる。ここで、表示パネル１１０は弾性的にしなることができるフレキシブルな特性を有する。
このような表示パネル１１０は、一方向に沿って長く形成される複数のＬＥＤアレイ１１１が並んで配置されるように構成され、ＬＥＤアレイ１１１には複数のマイクロＬＥＤ（Ｍｉｃｒｏ−ＬＥＤ）が備えられることが好ましい。また、表示パネル１１０は四角形の形態を有し、横幅が縦幅より長いワイド画面（Ｗｉｄｅ  Ｓｃｒｅｅｎ）の形態に構成される。表示パネル１１０の形状はこれに限定されず、円形又は多角形の形状に構成されることができ、折り畳み過程によって楕円形、三角形、菱形などの形態に具現されることもできる。また、表示パネル１１０は表示領域のサイズによってＯＬＥＤ（Ｏｒｇａｎｉｃ  Ｌｉｇｈｔ  Ｅｍｉｔｔｉｎｇ  Ｄｉｏｄｅ）又はＬＥＤが選択的に適用されるように具現できる。
【００１６】
下部プレート１２０は、少なくとも一つのフォルディング領域ＦＲと、フォルディング領域ＦＲの両側に連結されるアンフォルディング領域ＵＦＲとを含む。下部プレート１２０は、第１面１０２と第２面１０４とを含む。第１面１０２は下部プレート１２０の上面に対応し、第２面１０４は下部プレート１２０の背面に対応する。下部プレート１２０の上面１０２は、隣接したアンフォルディング領域１０２ＵＦＲの間に配置されるフォルディング領域１０２ＦＲを含む。下部プレート１２０の背面１０４は、隣接したアンフォルディング領域１０４ＵＦＲの間に配置されるフォルディング領域１０２ＦＲを含む。フォルディング領域の上面１０２ＦＲとアンフォルディング領域の上面１０２ＵＦＲに表示パネル１１０が結合される。
下部プレート１２０のフォルディング領域ＦＲには複数のセグメントケース１２１が備えられ、アンフォルディング領域ＵＦＲにはセグメントケース１２１の両側１２１ａ、１２１ｂにそれぞれ平面ケース１２３が備えられる。
【００１７】
複数セグメントケース１２１は、ヒンジ部１３０が背面１０４ＦＲに結合されることにより、アウターフォルディングタイプ（Ｏｕｔｅｒ  Ｆｏｌｄｉｎｇ  Ｔｙｐｅ）で折り畳まれるようになっている。各セグメントケース１２１の上面１０２ＦＲには少なくとも一つ以上のＬＥＤアレイ１１１が配置されることにより、フォルディング領域ＦＲでも映像の具現が可能である。そして、各平面ケース１２３の上面１０２ＵＦＲには複数のＬＥＤアレイ１１１が並んで結合される。
【００１８】
また、下部プレート１２０の背面１０４には、プリント基板１６０と連結されて電力を供給するバッテリー、通信モジュール、プロセッサ、メモリ、センサーモジュールなどが備えられることができる。
そして、下部プレート１２０の背面には、このような構成をカバーするように平面ケース１２３の背面に備えられる第１ハウジング１４０と、セグメントケース１２１の背面に備えられる第２ハウジング１５０とを含む。第１ハウジング１４０はアンフォルディング領域ＵＦＲの背面１０４ＵＦＲをカバーし、第２ハウジング１５０はフォルディング領域ＦＲの背面１０４ＦＲをカバーする。ここで、第２ハウジング１５０は、フォルディング領域ＦＲが折り畳まれる過程で外形が弾力的に変形可能な材質からなることが好ましい。また、図面に示されてはいないが、第１ハウジング１４０と第２ハウジング１５０の少なくとも一つは他の映像を表示することができる表示パネル１１０が適用されて両面ディスプレイとして具現できる。
【００１９】
図３は図２に示したフォルダブルディスプレイの表示パネルの背面１０６と下部プレートの背面１０４を示す背面斜視図、図４は図２に示したフォルダブルディスプレイのプリント基板１６０の連結部分を拡大して示す部分拡大図である。
図３及び図４を参照すると、下部プレート１２０の背面にはプリント基板（Ｐｒｉｎｔｅｄ  Ｃｉｒｃｕｉｔ  Ｂｏａｒｄ、以下、ＰＣＢという）１６０が備えられる。ＰＣＢ１６０はアンフォルディング領域ＵＦＲ、すなわち両側の平面ケース１２３の背面１０４ＵＦＲに対応するように配置され、フォルディング領域ＦＲであるセグメントケース１２１の背面には、両側のＰＣＢ１６０から連結されるフレキシブルプリント回路基板（Ｆｌｅｘｉｂｌｅ  Ｐｒｉｎｔｅｄ  Ｃｉｒｃｕｉｔ、以下、ＦＰＣという）１６１が連結されるように配置される。すなわち、フレキシブルプリント回路基板１６１は複数のセグメントケース１２１の背面１０４ＦＲに対応する。
【００２０】
ＬＥＤアレイ１１１は、それぞれのマイクロＬＥＤと電気的に連結される第１コネクター１１２が背面１０８に備えられ、ＰＣＢ１６０に結合されたＦＰＣ１６１には第１コネクター１１２と連結される第２コネクター１６２が備えられる。ここで、第１コネクター１１２と第２コネクター１６２はセグメントケース１２１を中心にそれぞれ両側面１２１ａ、１２１ｂで連結され、セグメントケース１２１には第１コネクター１１２と第２コネクター１６２が互いに接続するように貫通された第１接続ホール１２２が備えられる。また、第１接続ホール１２２は単純に貫通されたホールではなく、第１コネクター１１２と第２コネクター１６２がそれぞれ結合される他のコネクターとして備えられることができる。
【００２１】
ここで、第２コネクター１６２は、フォルディング領域ＦＲで折り畳まれるとき、長さ変化に対応するようにＦＰＣ１６１上に備えられなければならない。図４に示したように、表示パネルが広げられた状態にあるときに第２コネクター１６２は折り曲げられ、表示パネルが折り畳まれたときに第２コネクター１６２は広げられる構造に構成できる。また、ＦＰＣ１６１は折り畳み時の長さ変化に対応することができる他の形態にも構成できる。
【００２２】
そして、平面ケース１２３上には、アンフォルディング領域ＵＦＲに配置されたＬＥＤアレイ１１１とＰＣＢ１６０が接続するように貫通された第２接続ホール１２４が備えられる。アンフォルディング領域ＵＦＲに配置されたＬＥＤアレイ１１１は、背面に第３コネクター１１３が備えられ、これに対応するＰＣＢに第４コネクター１６３が備えられ、第２接続ホール１２４を中心に第３コネクター１１３と第４コネクター１６３が結合できる。第２接続ホール１２４も第３コネクター１１３と第４コネクター１６３がそれぞれ結合される他のコネクターとして備えられることができる。
【００２３】
図５ａは図１に示したフォルダブルディスプレイの一部を拡大して示す部分拡大斜視図、図５ｂは図５ａに示したフォルダブルディスプレイが折り畳まれた状態を示す部分拡大斜視図、図５ｃは図５ａに示したフォルダブルディスプレイの広げられた状態での一断面を示す部分断面斜視図、図５ｄは図５ｂに示したフォルダブルディスプレイの折り畳まれた状態での一断面を示す部分断面斜視図、図６ａは図５ａに示したフォルダブルディスプレイのヒンジ部が広げられた状態を示す斜視図、図６ｂは図５ｂに示したフォルダブルディスプレイのヒンジ部が折り畳まれた状態を示す斜視図、図７は図６ａに示したフォルダブルディスプレイの第１単位ヒンジと第２単位ヒンジを分離して示す斜視図、図８は図６に示したフォルダブルディスプレイのヒンジ部を分解して示す分解斜視図、図９は図８に示したフォルダブルディスプレイの分解されたヒンジ部を部分的に拡大して示す部分拡大図、図１０は図８に示したフォルダブルディスプレイのヒンジ部の一部を分解して示す分解斜視図である。
【００２４】
図５ａに示したように、本発明のフォルダブルディスプレイは、フォルディング領域ＦＲを中心に両側面１０３ａ、１０３ｂに並んでアンフォルディング領域ＵＦＲが備えられる。フォルディング領域ＦＲとアンフォルディング領域ＵＦＲの上面１０５ＦＲ,１０５ＵＦＲにはそれぞれ図５ｂのように複数のＬＥＤアレイ１１１からなった表示パネル１１０が配置される。
【００２５】
図５ｂに示したように、本発明のフォルダブルディスプレイは、フォルディング領域ＦＲでヒンジ部１３０の回転角度によって略‘Ｃ’字形に折り畳まれる。ここで、フォルディング領域ＦＲでそれぞれのセグメントケース１２１の上面１０２ＵＦＲに配置されたＬＥＤアレイ１１１は隣接した他のＬＥＤアレイ１１１との間に回転角度による隙間１０７が生じて所定の間隔が形成される。したがって、アウターフォルディングタイプで折り畳まれる過程で表示パネル１１０の長さ変化が発生せず、これによる長さ変化に対応する追加的な構成要素が要らない利点がある。
【００２６】
図５ｃに示したように、フォルディング領域ＦＲには、表示パネル１１０の背面１０６に第１ヒンジボディー１３１と第２ヒンジボディー１３５がそれぞれ第１単位ヒンジ１３２と第２単位ヒンジ１３３によって締結されて回転可能な構造を有する。したがって、図５ｄのように、フォルディング領域ＦＲが相対回転するにつれてアンフォルディング領域ＵＦＲの背面が互いに向き合うように折り畳まれる。このようなフォルディング領域ＦＲの詳細な構造は次のようである。
【００２７】
図６ａに示したように、ヒンジ部１３０は、ヒンジボディー１３１、１３５と、第１単位ヒンジ１３２と、第２単位ヒンジ１３３とを含む。
ヒンジボディー１３１、１３５は、各セグメントケース１２１の背面１０４ＦＲに結合され、ヒンジボディーのいずれか一つである第１ヒンジボディー１３１と、第１ヒンジボディー１３１に隣接して連結される第２ヒンジボディー１３５とからなる。ヒンジボディーは、第１単位ヒンジ１３２と第２単位ヒンジ１３３が締結されることで、図６ｂのように折り畳まれる。
【００２８】
図６ｂに示したように、ヒンジボディー１３１、１３５の上面１３７、１３９にはセグメントケース１２１が結合され、セグメントケース１２１の背面１０４ＦＲとヒンジボディーの上面１３７、１３９の間で第１接続ホール１２２に第２コネクター１６２が連結されるように、ヒンジボディー１３１、１３５の上面に第２コネクター１６２（図４参照）又はＦＰＣ１６１（図４参照）と干渉しないように案内溝１３１ａが備えられる。
このような案内溝１３１ａは、ヒンジボディーの上面で隣接した他のヒンジボディーの案内溝１３１ａと異なる長さに備えられることで、隣接した他の第２コネクター１６２又はＦＰＣ１６１と干渉することを最小化することができる。
【００２９】
ヒンジボディー１３１、１３５の背面１４１、１４３には結合部材１３１ｂが突出し、結合部材１３１ｂの両側面に干渉溝１３１ｃがそれぞれ形成される。結合部材１３１ｂは各ヒンジボディー１３１、１３５の背面１４１、１４３で一定の間隔で互いに離隔するように配置され、各結合部材１３１ｂの間に第１単位ヒンジ１３２又は第２単位ヒンジ１３３が結合される。干渉溝１３１ｃは第１単位ヒンジ１３２又は第２単位ヒンジ１３３が回転するときに設定角度の範囲内で干渉が発生してヒンジ部１３０の回転角度を制限することになる。
【００３０】
図７を参照すると、第１単位ヒンジ１３２は、第１胴体１３２ａと、第１締結部材１３２ｂと、第１案内突起１３２ｃとを含む。
第１胴体１３２ａは第１ヒンジボディー１３１の背面の結合部材１３１ｂの間に固定されて一体に回転するようになる。
【００３１】
第１締結部材１３２ｂは第１胴体１３２ａを中心に両側方向に突出し、内部に回転軸が結合するようにそれぞれ第１回転軸ホール１３２ｄが形成される。両側の第１締結部材１３２ｂにはそれぞれ第２単位ヒンジ１３３が回転軸１３２ｅを中心に回転可能に結合される。第１締結部材１３２ｂは結合される第２単位ヒンジ１３３に対して相対回転しながら干渉しないように外周面が略半円形又は円形に形成される。
【００３２】
第１案内突起１３２ｃは第１締結部材１３２ｂの外周面１３２ｈ上から突出して干渉溝１３５ｃ（図８参照）の内部に配置される。したがって、折り畳み過程で第１案内突起１３２ｃが干渉溝１３５ｃの空間内部で回転し、設定角度の範囲を外れる場合、第１案内突起１３２ｃが干渉溝１３５ｃに接触することによって回転角度が制限される。
【００３３】
第２単位ヒンジ１３３は、第２胴体１３３ａと、第２締結部材１３３ｂと、第２案内突起１３３ｃとを含む。
第２胴体１３３ａは第２ヒンジボディー１３５の背面１４３の結合部材１３５ｂの間に固定されて一体に回転するようになる。
【００３４】
第２締結部材１３３ｂは第２胴体１３３ａを中心に両側１３３ｅ、１３３ｆの方向に突出し、内部に回転軸が結合するように第２回転軸ホール１３３ｄが形成される。両側の第２締結部材１３３ｂはそれぞれ第２単位ヒンジ１３３が回転軸を中心に回転可能に結合される。第２締結部材１３３ｂは第１締結部材１３２ｂに対して相対回転しながら干渉しないように、外周面１３３ｇが略半円形又は円形に形成される。
【００３５】
第２案内突起１３３ｃは第２締結部材１３３ｂの外周面１３３ｇ上から突出して隣接した他の干渉溝１３１ｃ（図８及び図９参照）の内部に配置される。したがって、折り畳み過程で第２案内突起１３３ｃが干渉溝１３１ｃの空間の内部で回転し、設定角度の範囲を外れる場合、第２案内突起１３３ｃが干渉溝１３１ｃに接触することによって回転角度が制限される。ここで、第２案内突起１３３ｃと第１案内突起１３２ｃの回転角度は同一になるように形成される。また、第２案内突起１３３ｃの回転角度は第１案内突起１３２ｃの回転角度とは違うように設定できる。
【００３６】
ここで、回転軸の結合方向に沿って第１胴体１３２ａと第２胴体１３３ａの長さは同一であり、第１締結部材１３２ｂが第２締結部材１３３ｂより長く形成できる。また、第１胴体１３２ａの長さは第２胴体１３３ａの長さと違うように形成さでき、第１締結部材１３２ｂの長さは第２締結部材１３３ｂの長さより小さいか同一に形成できる。
【００３７】
図１０を見ると、ヒンジ部１３０は、セグメントケース１２１の背面１０４ＦＲにヒンジボディー１３１が結合され、ヒンジボディー１３１の背面１４１に第１単位ヒンジ１３２が結合する構造を示す。ここで、ＬＥＤアレイ（図示せず）はセグメントケース１２１の上面１０２ＦＲに結合されるものを一例として説明し、セグメントケース１２１なしにヒンジボディー１３１の上面にＬＥＤアレイ１１１が結合される構造に適用可能である。
【００３８】
図１１及び図１２は図５に示したフォルダブルディスプレイのヒンジ部がそれぞれ広げられた状態及び折り畳まれた状態を示す断面図である。
図１１を参照すると、本発明のフォルダブルディスプレイの広げられた状態を示す。第１ヒンジボディー１３１に結合された第１単位ヒンジ１３２の第１案内突起１３２ｃは第２ヒンジボディー１３５の干渉溝１３５ｃの内部に配置される。
【００３９】
ここで、図１２のように折り畳まれた状態になれば、第１ヒンジボディー１３１の側面に密着した第２ヒンジボディー１３５が離隔され、第１案内突起１３２ｃは第２ヒンジボディー１３５の干渉溝１３５ｃの内部で回転して第２胴体１３５の背面１３６と干渉する。したがって、第１ヒンジボディー１３１と第２ヒンジボディー１３５の回転が完了する。このように、複数のヒンジボディーが互いに相対回転することにより、フォルダブルディスプレイが設定角度の範囲内で折り畳まれる。
【００４０】
第２単位ヒンジ１３３の回転は第１単位ヒンジ１３２の回転と同一であるので、その詳細な重複説明は省略する。
【００４１】
図１３は図１に示したフォルダブルディスプレイの表示パネルと下部プレート１２０が互いに異なる大きさに分離されたパターンを示す参照図である。図示のＡ１タイプの表示パネル、Ｃ１タイプの表示パネル及びＤ１タイプの表示パネルは前述した本発明の実施例による表示パネル１１０と大きさのみ違いがあるだけ、同一の表示パネルである。図１３（ａ）はフォルダブルディスプレイ２００ａの正面２０２ａ及び背面２０２ｂを示す。
【００４２】
図１３（ａ）のように、本発明のフォルダブルディスプレイ２００ａは一つのフォルディング領域と二つのアンフォルディング領域ＵＦＲから構成され、フォルディング領域を基準にアンフォルディング領域ＵＦＲが相対回転するものを一例として説明する。ここで、アンフォルディング領域はＡ１タイプの表示パネルが両側にそれぞれ配置され、中心に正面２０２ａのフォルディング領域にはＢ１タイプの表示パネルが配置される。ここで、Ｂ１タイプの表示パネルは単位大きさのＯＬＥＤ又はＬＥＤアレイが複数配置される。また、表示パネルの背面２０２ｂにはａ１タイプの平面ケースがそれぞれアンフォルディング領域に対応して配置され、ｂ１タイプのセグメントケースがＢ１タイプのフォルディング領域に対応して配置される。
【００４３】
また、図１３（ｂ）のように、フォルダブルディスプレイ２００ｂは一つのフォルディング領域ＦＲと二つのアンフォルディング領域ＵＦＲから構成され、正面２０４ａ及び正面と２０４ａと対向する背面２０４ｂを含み、フォルディング領域ＦＲの大きさを図１３（ａ）に比べて広くなるように二つのＢ１タイプの表示パネルを配置してフォルディング領域ＦＲ内でフォルディング領域の幅を調節することもできる。したがって、図１３（ｂ）はＣ１タイプの表示パネルがそれぞれ両側に配置され、二つのＢ１タイプの表示パネルがフォルディング領域ＦＲに配置される。そして、表示パネル２００ｂの背面２０４ｂにはｃ１タイプの平面ケースがそれぞれアンフォルディング領域ＵＦＲに対応して配置され、ｂ１タイプのセグメントケースが二つのＢ１タイプ表示パネルに対応して配置される。これは、図１３（ａ）のようにフォルディング領域ＦＲを中心に全く折り畳まれるとき、アンフォルディング領域ＵＦＲが互いに対向するように配置されるが、図１３（ｂ）のようにフォルディング領域ＦＲが広くなれば、フォルディング領域ＦＲ内で一部区間を折り畳むことで、アンフォルディング領域ＵＦＲの表示パネル１１０が互いにずれるように、あるいは一部区間が重なるように折り畳むことができる利点がある。
【００４４】
図１３（ｃ）のフォルダブルディスプレイ２００ｃは一つのフォルディング領域と四つのアンフォルディング領域ＵＦＲから構成され、正面２０６ａ及び正面２０６ａと対向する背面２０６ｂを含む。ここで、アンフォルディング領域ＵＦＲはそれぞれ二つ以上の大きさに分割され、互いに同一の面積で構成されることが好ましい。したがって、Ｄ１タイプの表示パネルが両側にそれぞれ二つずつ配置され、中心フォルディング領域にはＢ１タイプの表示パネルが配置される。そして、表示パネルの背面にはｄ１タイプの平面ケースがＤ１タイプの表示パネルの背面２０６ｂに配置され、Ｂ１タイプの表示パネルに対応してｂ１タイプのセグメントケースが配置される。ここで、二つのｄ１タイプの平面ケースはａ１タイプの平面ケースと互換されることもできる。このように、アンフォルディング領域ＵＦＲを分割すれば、複数のＯＬＥＤ又はＬＥＤアレイ１１１を連結した一つの表示パネル１１０のサイズを減らすことができるので、不良のため又は維持補修のため、一部の表示パネル１１０のみを入れ替えるか修理することができる利点がある。
【００４５】
したがって、本発明のフォルダブルディスプレイによれば、フォルディング領域ＦＲとアンフォルディング領域ＵＦＲの両方で映像を具現することができ、フォルディング領域ＦＲの回転による内側と外側間の長さ変化が発生しないから長さ補償による追加的な構成要素が不必要であり、フォルディング領域ＦＲとアンフォルディング領域ＵＦＲの表示パネル１１０の駆動による端子接続が容易であり、ヒンジ部１３０が設定角度の範囲内で相対回転するから安定的な回転とともに信頼性を確保することができ、表示パネル１１０を多様な大きさに製作することができるので、製造費用が節減される効果がある。
【００４６】
以上で本発明の技術的思想を例示するために具体的な実施例を図面に基づいて説明したが、本発明は前記のように具体的な実施例と同等な構成及び作用効果のみに限られず、いろいろの変形例が本発明の範囲を逸脱しない範疇内で実施可能である。したがって、そのような変形例も本発明の範囲に属するものと見なさなければならなく、本発明の真正な技術的保護範囲は後述する特許請求範囲の技術的思想によって決定されなければならないであろう。
【符号の説明】
【００４７】
１００    フォルダブルディスプレイ
１０２    上面
１０４    背面
１１０    表示パネル
１１１    ＬＥＤアレイ
１１２    第１コネクター
１１３    第３コネクター
１２０    下部プレート
１２１    セグメントケース
１２３    平面ケース
１３０    ヒンジ部
１３１    第１ヒンジボディー
１３２    第１単位ヒンジ
１３３    第２単位ヒンジ
１３５    第２ヒンジボディー
１４０    第１ハウジング
１５０    第２ハウジング
１６０    プリント基板
１６２    第２コネクター
１６３    第４コネクター
１６１    フレキシブルプリント回路基板
ＡＡ    表示領域
ＮＡ    非表示領域
【図１】
2020021073.tif 000003
【図２】
2020021073.tif 000004
【図３】
2020021073.tif 000005
【図４】
2020021073.tif 000006
【図５ａ】
2020021073.tif 000007
【図５ｂ】
2020021073.tif 000008
【図５ｃ】
2020021073.tif 000009
【図５ｄ】
2020021073.tif 000010
【図６ａ】
2020021073.tif 000011
【図６ｂ】
2020021073.tif 000012
【図７】
2020021073.tif 000013
【図８】
2020021073.tif 000014
【図９】
2020021073.tif 000015
【図１０】
2020021073.tif 000016
【図１１】
2020021073.tif 000017
【図１２】
2020021073.tif 000018
【図１３】
2020021073.tif 000019